(57)【要約】【課題】ユーザ端末の状態と、再生されるデータに応じて、通信方式を選択すること。【解決手段】ユーザ端末は、第１の通信方式により無線通信を行う第１の無線インターフェースと、第１の通信方式よりも接続できるエリアが狭い第２の通信方式により無線通信を行う第２の無線インターフェースと、移動中に、第２の無線インターフェースから、リアルタイムに再生を行わないデータを取得する制御を行う制御部とを有する。【選択図】図４
2013123127.tif 000002
【特許請求の範囲】
【請求項１】
第１の通信方式により無線通信を行う第１の無線インターフェースと、
前記第１の通信方式よりも接続できるエリアが狭い第２の通信方式により無線通信を行う第２の無線インターフェースと、
移動中に、前記第２の無線インターフェースから、リアルタイムに再生を行わないデータを取得する制御を行う制御部と
を有する、ユーザ端末。
【請求項２】
前記制御部は、移動しているか否かに応じて、前記第１又は第２の無線インターフェースから、リアルタイムに再生を行うデータを取得する制御を行う、請求項１に記載のユーザ端末。
【請求項３】
前記第１の無線インターフェースには携帯電話で利用される通信方式により無線通信を行うインターフェースが含まれ、
前記第２の無線インターフェースには無線ＬＡＮにより無線通信を行うインターフェースが含まれる、請求項１又は２に記載のユーザ端末。
【請求項４】
前記制御部による制御により取得されたリアルタイムに再生を行わないデータを出力する出力部
を有する、請求項１に記載のユーザ端末。
【請求項５】
第１の通信方式よりも接続できるエリアが狭い第２の通信方式により無線通信を行う無線インターフェースから、移動中に、リアルタイムに再生を行わないデータを取得する制御を行う、ユーザ端末における通信方法。
【発明の詳細な説明】
【技術分野】
【０００１】
本発明は、無線通信システムに関する。
【背景技術】
【０００２】
通信方式には、広い範囲で無線アクセス可能な通信方式と、狭い範囲で無線アクセス可能な通信方式とがある。
【０００３】
広い範囲で無線アクセス可能な通信方式には、ＣＤＭＡ等の無線アクセス方式が含まれる。広範囲で無線アクセス可能な通信方式により無線通信を行う無線通信装置は、移動中でも、基地局間をハンドオーバすることによりデータ通信が可能である。
【０００４】
一方、狭い範囲で無線アクセス可能な通信方式には、無線ＬＡＮ等が含まれる。狭い範囲で無線アクセス可能な通信方式により無線通信を行う無線通信装置は、基地局によりカバーされるエリアから移動した場合には、データ通信が途切れる。
【０００５】
静止中には狭い範囲でアクセス可能な通信方式を選択し、移動中は広い範囲でアクセス可能な通信方式を選択する移動通信端末装置が知られている（例えば、特許文献１参照）。
【先行技術文献】
【特許文献】
【０００６】
【特許文献１】特開２００４−７２１３６号公報
【発明の概要】
【発明が解決しようとする課題】
【０００７】
広い範囲で無線アクセス可能な通信方式は、狭い範囲で無線アクセス可能な通信方式の基地局より、１つの基地局によりカバーされるエリアが広い範囲に及ぶことが多い。このため、基地局と多くのユーザ端末との間で通信を行う場合があるため、基地局の通信負荷が高くなる場合がある。
【０００８】
狭い範囲で無線アクセス可能な通信方式は基地局によりカバーされるエリアが狭いため、基地局との間で通信を行うユーザ端末の数が限られる。このため、基地局の通信負荷が高くなることは少ない。
【０００９】
基地局からユーザ端末に送信されるデータには、ユーザ端末において、リアルタイムに再生するデータ、リアルタイムに再生しないデータが含まれる。リアルタイムに再生するデータにはストリーミングデータ等の連続するデータが含まれる。リアルタイムに再生しないデータには、番組情報等の連続しないデータが含まれる。
【００１０】
静止中は狭い範囲で無線アクセス可能な通信方式を選択し、移動中は広い範囲で無線アクセス可能な通信方式を選択するようにした場合、再生されるデータに関わらず、移動中には広い範囲でアクセス可能な通信方式が利用される。このため、広範囲でアクセス可能な通信方式の基地局の負荷がますます高くなる場合がある。
【００１１】
開示の無線通信システムは、ユーザ端末の状態と、再生されるデータに応じて、通信方式を選択することを目的とする。
【課題を解決するための手段】
【００１２】
開示の一実施例のユーザ端末は、
第１の通信方式により無線通信を行う第１の無線インターフェースと、
前記第１の通信方式よりも接続できるエリアが狭い第２の通信方式により無線通信を行う第２の無線インターフェースと、
移動中に、前記第２の無線インターフェースから、リアルタイムに再生を行わないデータを取得する制御を行う制御部と
を有する。
【発明の効果】
【００１３】
開示の実施例によれば、ユーザ端末の状態と、再生されるデータに応じて、通信方式を選択できる。
【図面の簡単な説明】
【００１４】
【図１】無線通信システムの一実施例を示す図である。
【図２】配信されるデータの一実施例を示す図である。
【図３】ユーザ端末の一実施例を示す図である。
【図４】ユーザ端末の一実施例を示す機能ブロック図である。
【図５】ユーザ端末に表示されるデータの一実施例を示す図である。
【図６】ユーザ端末の動作（その１）の一実施例を示すフローチャートである。
【図７】ユーザ端末の動作（その２）の一実施例を示すフローチャートである。
【図８】ユーザ端末の動作（その３）の一実施例を示すフローチャートである。
【図９】ユーザ端末の動作（その４）の一実施例を示すフローチャートである。
【図１０】無線通信システムの動作の一実施例を示すシーケンスチャートである。
【発明を実施するための形態】
【００１５】
以下、図面に基づいて、実施例を説明する。
なお、実施例を説明するための全図において、同一機能を有するものは同一符号を用い、繰り返しの説明は省略する。
【００１６】
＜無線通信システム＞
図１は、無線通信システムの一実施例を示す。
【００１７】
無線通信システムは、ユーザ端末１００を有する。ユーザ端末１００は、広範囲で無線アクセス可能な第１の通信方式により無線通信を行う無線インターフェースを有する。また、ユーザ端末１００は、狭い範囲で無線アクセス可能な第２の通信方式により無線通信を行う無線インターフェースを有する。
【００１８】
ユーザ端末１００は、ユーザが通信することができる適切な如何なる移動通信端末でもよく、例えば、携帯電話、情報端末、パーソナルディジタルアシスタント、携帯用パーソナルコンピュータ等が含まれるが、これらに限定されない。
【００１９】
ユーザ端末１００は、コンテンツを受信する。コンテンツには、リアルタイムに再生するデータ（以下、「リアルタイム再生データ」という）と、リアルタイムに再生しないデータ（以下、「非リアルタイム再生データ」という）とが含まれる。リアルタイム再生データには、ストリーミングデータ等の連続して再生するデータが含まれる。非リアルタイム再生データには、番組情報等の連続して再生しないデータが含まれる。非リアルタイム再生データは、番組情報に限定されない。例えば、広告等が含まれてもよい。
【００２０】
無線通信システムは、基地局２００を有する。基地局２００は、広い範囲で無線アクセス可能な第１の通信方式により、ユーザ端末１００との間で無線通信を行う。具体的には、基地局２００は、ＣＤＭＡ方式等の無線アクセス方式により、ユーザ端末１００との間で無線通信可能である。基地局２００は、通信網６００と接続される。通信網６００には、携帯電話網、インターネット等が含まれる。基地局２００は、配下のユーザ端末１００に、番組情報サーバ４００からの非リアルタイム再生データ、ストリーミングサーバ５００からのリアルタイム再生データを送信する。
【００２１】
無線通信システムは、基地局３００を有する。基地局３００は、第１の通信方式よりも狭い範囲で無線アクセス可能な第２の通信方式によりユーザ端末１００との間で無線通信を行う。具体的には、基地局３００は、無線ＬＡＮにより、ユーザ端末１００との間で無線通信可能である。基地局３００は、通信網６００と接続される。基地局３００は、配下のユーザ端末１００に、番組情報サーバ４００からの非リアルタイム再生データ、ストリーミングサーバ５００からのリアルタイム再生データを送信する。
【００２２】
無線通信システムは、番組情報サーバ４００を有する。番組情報サーバ４００は、通信網６００と接続される。番組情報サーバ４００は、通信網６００を介して、基地局２００、及び３００へ、非リアルタイム再生データを送信する。番組情報サーバ４００は、ストリーミングサーバ５００により送信されるリアルタイム再生データに対応する非リアルタイム再生データを送信する。番組情報サーバ４００は、非リアルタイム再生データを定期的又は不定期に送信する。
【００２３】
無線通信システムは、ストリーミングサーバ５００を有する。ストリーミングサーバ５００は、通信網６００と接続される。ストリーミングサーバ５００は、通信網６００を介して、基地局２００、及び３００へ、リアルタイム再生データを配信する。
【００２４】
図２は、番組情報サーバ４００、ストリーミングサーバ５００により送信されるデータの分類と、該データの種類を示す。
【００２５】
番組情報サーバ４００により送信される非リアルタイム再生データには、番組情報が含まれる。番組情報には、チャンネルの識別子を表すチャンネルＩＤと、チャンネルの名称を示すチャンネルロゴと、番組の名称を表す番組名と、ストリーミングデータの所在を表すストリーミングデータのＵＲＬとが含まれる。チャンネルＩＤは数値データにより表され、チャンネルロゴは静止画データにより表され、番組名は文字列データにより表され、ストリーミングデータのＵＲＬは文字列データにより表される。
【００２６】
ストリーミングサーバ５００により送信されるリアルタイム再生データには、ストリーミングデータが含まれる。ストリーミングデータは動画データにより表される。
【００２７】
＜ユーザ端末１００＞
図３は、ユーザ端末１００の一実施例を示す。図３には、主にハードウェア構成が示される。
【００２８】
ユーザ端末１００は、入力部１０２と、出力部１０４と、通信制御部１０６と、無線通信部１０８１、及び１０８２と、記憶部１１０と、ＣＰＵ（Ｃｅｎｔｒａｌ  Ｐｒｏｃｅｓｓｉｎｇ  Ｕｎｉｔ）１１２と、位置測位装置１１４とを有する。
【００２９】
ＣＰＵ１１２は、入力部１０２、出力部１０４、通信制御部１０６、無線通信部１０８１、及び１０８２、記憶部１１０、及び位置測位装置１１４の制御を行う。ＣＰＵ１１２は、記憶部１１０に記憶されたプログラムに従って機能する。
【００３０】
記憶部１１０には、アプリケーションと、オペレーティングシステム（ＯＳ：  Ｏｐｅｒａｔｉｎｇ  Ｓｙｓｔｅｍ）とが格納される。アプリケーションは、ユーザがユーザ端末１００上で作業する処理を実行する機能を有するソフトウェアである。オペレーティングシステムは、ユーザ端末１００において、ハードウェアを抽象化したインターフェースをアプリケーションソフトウェアに提供するソフトウェアである。
【００３１】
入力部１０２は、例えば、キーボードやマウスにより構成され、当該ユーザ端末１００への指示や、データの入力を行うための装置である。また、入力部１０２は、タッチパネルにより構成されてもよい。また、入力部１０２は、例えば、マイクにより構成され、ユーザにより発せられた音声を入力する。音声には、着信者へのメッセージや、当該ユーザ端末１００への指示が含まれてもよい。指示には、オペレーティングシステムに対するものや、アプリケーションに対するものが含まれる。
【００３２】
出力部１０４は、例えば、ディスプレイにより構成され、当該ユーザ端末１００による処理状態や処理結果を表示する。また、出力部１０４は、例えば、スピーカにより構成され、ユーザに対して、音を出力するようにしてもよい。処理状態や処理結果には、オペレーティングシステムやアプリケーションによるものが含まれる。ディスプレイには、液晶ディスプレイ（ＬＣＤ：  Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）ディスプレイ、プラズマディスプレイ（ＰＤＰ：  Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイ等が含まれる。
【００３３】
通信制御部１０６は、上りリンクの信号を送信するための制御を行う。具体的には、通信制御部１０６は、番組情報サーバ４００へ、チャンネルＩＤ、番組名要求を送信する制御を行う。また、通信制御部１０６は、ストリーミングサーバ５００へ、ストリーミングデータ要求を送信する制御を行う。
【００３４】
また、通信制御部１０６は、下りリンクの信号を受信するための制御を行う。具体的には、通信制御部１０６は、番組情報サーバ４００から、チャンネルロゴを示す情報、ストリーミングデータのＵＲＬを表す情報、番組名を表す情報を受信する制御を行う。また、通信制御部１０６は、ストリーミングサーバ５００から、ストリーミングデータを受信する制御を行う。
【００３５】
無線通信部１０８１は、通信制御部１０６による制御により、基地局２００との間で、広い範囲で無線アクセス可能な第１通信方式により無線通信を行う。無線通信部１０８１は、無線インターフェースであってもよい。第１の通信方式には、ＧＳＭ(登録商標)（Ｇｌｏｂａｌ  Ｓｙｓｔｅｍ  ｆｏｒ  Ｍｏｂｉｌｅ  Ｃｏｍｍｕｎｉｃａｔｉｏｎｓ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）が含まれる。また、第１の通信方式には、ＬＴＥ以降の無線アクセス方式が含まれてもよい。つまり、第１の通信方式には、携帯電話で利用可能な通信方式が含まれる。例えば、無線通信部１０８１は、通信制御部１０６による制御により、上りリンクの信号を無線信号に変換して送信する。また、無線通信部１０８１は、基地局２００からの無線信号をベースバンド信号へ変換する。
【００３６】
無線通信部１０８２は、通信制御部１０６による制御により、基地局３００との間で、第１の通信方式よりも狭い範囲で無線アクセス可能な第２の通信方式により無線通信を行う。無線通信部１０８２は、無線インターフェースであってもよい。具体的には、無線通信部１０８２は、無線ＬＡＮにより、基地局３００との間で無線通信を行う。例えば、無線通信部１０８２は、通信制御部１０６による制御により、上りリンクの信号を無線信号へ変換して送信する。また、無線通信部１０８２は、基地局３００からの無線信号をベースバンド信号へ変換する。
【００３７】
ユーザ端末１００の一実施例では、２つの無線通信部、つまり無線通信部１０８１及び１０８２を有する場合について説明されるが、ユーザ端末１００が３以上の無線通信部を有するようにしてもよい。つまり、ユーザ端末１００が、３以上の無線インターフェースを有するようにしてもよい。
【００３８】
位置測位装置１１４は、当該ユーザ端末１００の位置を測位する。具体的には、位置測位装置１１４は、ＧＰＳ（Ｇｌｏｂａｌ  Ｐｏｓｉｔｉｏｎｉｎｇ  Ｓｙｓｔｅｍ）受信装置であってもよい。ＧＰＳ受信装置は、ＧＰＳ衛星（図示なし）により送信される測位信号に基づいて、当該ＧＰＳ受信装置の位置を測位する。位置情報は、経度、緯度により表されてもよい。また、位置情報は、経度、緯度に加え、高度により示されてもよい。
【００３９】
＜ユーザ端末１００の機能＞
ユーザ端末１００の機能の一実施例について説明する。
【００４０】
図４は、ユーザ端末１００の機能の一実施例を示す機能ブロック図である。この機能ブロック図により表される機能は、主に、ＣＰＵ１１２により実行される。つまり、図４の機能ブロック図により表される機能は、記憶部１１０に記憶されたアプリケーションに従ってＣＰＵ１１２により実行される。
【００４１】
ＣＰＵ１１２は、接続制御部１１２０２として機能する。接続制御部１１２０２は、通信制御部１０６に無線通信部１０８１を制御させることにより、基地局２００との間で接続処理を行う。接続制御部１１２０２は、制御部１１２０４へ、基地局２００との間で接続処理ができたか否かを表す情報（以下、「基地局２００接続情報」という）を入力する。
【００４２】
また、接続制御部１１２０２は、通信制御部１０６に無線通信部１０８２を制御させることにより、基地局３００との間で接続処理を行う。接続制御部１１２０２は、制御部１１２０４へ、基地局３００との間で接続処理ができたか否かを表す情報（以下、「基地局３００接続情報」という）を入力する。
【００４３】
ＣＰＵ１１２は、コンテンツ判定部１１２０６として機能する。コンテンツ判定部１１２０６には、通信制御部１０６から下りリンクの信号が入力される。コンテンツ判定部１１２０６は、基地局２００及び３００からの下りリンクの信号に含まれるコンテンツを判定する。具体的には、コンテンツ判定部１１２０６は、下りリンクの信号に含まれるコンテンツがリアルタイム再生データであるか否かを判定する。コンテンツ判定部１１２０６は、データ取得部１１２１０へ、下りリンクの信号に含まれるコンテンツがリアルタイム再生データであるか否かを表す情報（以下、「コンテンツ情報」という）を入力する。
【００４４】
ＣＰＵ１１２は、移動静止判定部１１２０８として機能する。移動静止判定部１１２０８は、位置測位装置１１４から位置情報が入力される。移動静止判定部１１２０８は、位置測位装置１１４からの位置情報に基づいて、前回の位置情報からの移動距離が閾値以上である場合には、移動していると判定する。移動静止判定部１１２０８は、位置測位装置１１４からの位置情報に基づいて、前回の位置情報からの移動距離が閾値未満である場合には、静止していると判定する。閾値は、第２の通信方式のセルの大きさに基づいて設定されてもよい。移動静止判定部１１２０８は、データ取得部１１２１０へ、移動しているか否かを表す情報（以下、「移動情報」という）を入力する。
【００４５】
ユーザ端末１００は、データ取得部１１２１０として機能する。データ取得部１１２１０には、接続制御部１１２０２から基地局２００接続情報及び基地局３００接続情報、コンテンツ判定部１１２０６からコンテンツ情報、移動静止判定部１１２０８から移動情報が入力される。データ取得部１１２１０は、入力された情報に基づいて、コンテンツを取得する際に利用する通信方式を決定する。データ取得部１１２１０は、コンテンツを取得する際に利用する通信方式によりコンテンツを取得する。
【００４６】
具体的には、データ取得部１１２１０は、コンテンツ情報がリアルタイム再生データであることを表し、且つ移動情報が静止中であることを表す場合、第２の通信方式により取得するように制御する。また、データ取得部１１２１０は、コンテンツ情報がリアルタイム再生データであることを表し、且つ移動情報が移動中であることを表す場合、第１の通信方式により取得するように制御する。
【００４７】
また、データ取得部１１２１０は、コンテンツ情報が非リアルタイム再生データであることを表し、且つ移動情報が静止中であることを表す場合、第２の通信方式により取得するように制御する。また、データ取得部１１２１０は、コンテンツ情報が非リアルタイム再生データであることを表し、且つ移動情報が移動中であることを表す場合、第２の通信方式により取得するように制御する。
【００４８】
データ取得部１１２１０による制御に従って、ユーザ端末１００が移動しているか否かに拘わらず、非リアルタイム再生データは、無線通信部１０８２により受信される。無線通信部１０８２により受信された非リアルタイム再生データは、通信制御部１０６による制御に従ってデコードされる。データ取得部１１２１０は、出力部１０４へ、デコードされた非リアルタイム再生データを出力する。
【００４９】
また、データ取得部１１２１０は、デコードされた非リアルタイム再生データに、リアルタイム再生データの所在を表すＵＲＬが含まれる場合には、ＵＲＬを利用して、ストリーミングサーバ５００へアクセスするように制御する。
【００５０】
また、データ取得部１１２１０による制御に従って、リアルタイム再生データは、無線通信部１０８１又は１０８２より受信される。無線通信部１０８１又は１０８２により受信されたリアルタイム再生データは、通信制御部１０６による制御に従ってデコードされる。データ取得部１１２１０は、出力部１０４に、デコードされたリアルタイム再生データを出力する。
【００５１】
移動している場合に、第２の通信方式の基地局から、非リアルタイム再生データを受信させることにより、第１の通信方式の基地局の負荷を低減できる。
【００５２】
図５は、ユーザ端末１００に表示されるデータの一実施例を示す。
【００５３】
図５に示される例では、データ取得部１１２１０による制御に従って取得される非リアルタイム再生データとして、番組情報に含まれる番組名と、楽曲名と、チャンネル名が示される。また、データ取得部１１２１０による制御に従って取得されるリアルタイム再生データとして、ストリーミングデータが示される。
【００５４】
＜ユーザ端末１００の動作（その１）＞
図６は、ユーザ端末１００の動作の一実施例を示す。図６に示される例では、第１の通信方式としてＣＤＭＡが適用され、第２の通信方式として無線ＬＡＮが適用される。図６に示される例では、リアルタイム再生データとしてストリーミングデータが取得され、非リアルタイム再生データとして番組情報が取得される。
【００５５】
ステップＳ６０２では、接続制御部１１２０２は、通信制御部１０６に無線通信部１０８１を制御させることによりＣＤＭＡによる接続処理を実行させる。また、接続制御部１１２０２は、通信制御部１０６に無線通信部１０８２を制御させることにより無線ＬＡＮによる接続処理を実行させる。
【００５６】
ステップＳ６０４では、データ取得部１１２１０は、番組情報を取得する際に利用する通信方式を設定する。
【００５７】
ステップＳ６０６では、データ取得部１１２１０は、ステップＳ６０４により設定された通信方式により、番組情報を取得する制御を行う。
【００５８】
ステップＳ６０８では、データ取得部１１２１０は、番組情報が取得できない場合、ストリーミングデータを受信する処理を終了する。番組情報が取得できないと、ストリーミングデータの所在を表すＵＲＬを取得できないため、ストリーミングサーバ５００へアクセスができないためである。
【００５９】
ステップＳ６１０では、ステップＳ６０８により番組情報を取得できる場合、出力部１０４は、番組情報を再生する。つまり、データ取得部１１２１０は、出力部１０４へ、番組情報を入力する。出力部１０４は、番組情報を再生する。その結果、図５に示したように、番組名と、楽曲名と、チャンネル名が表示される。
【００６０】
ステップＳ６１２では、データ取得部１１２１０は、ストリーミングを行う際に利用する通信方式を設定する。
【００６１】
ステップＳ６１４では、ストリーミングを開始していると判定された場合、ステップＳ６０４に戻る。
【００６２】
ステップＳ６１６では、ステップＳ６１４によりストリーミングを開始していないと判定された場合、データ取得部１１２１０は、ストリーミングを行う。つまり、データ取得部１１２１０は、出力部１０４へ、ストリーミングデータを入力する。出力部１０４は、ストリーミングデータを再生する。その結果、図５示したように、ストリーミングデータが表示される。
【００６３】
＜ユーザ端末１００の動作（その２）＞
図７は、ユーザ端末１００の動作の一実施例を示す。図７には、図６のステップＳ６１６の処理が示される。
【００６４】
ステップＳ７０２では、データ取得部１１２１０は、ストリーミングデータを取得する際に利用する通信方式を設定する。
【００６５】
ステップＳ７０４では、データ取得部１１２１０は、ステップＳ７０２により設定された通信方式により、ストリーミングデータを取得する制御を行う。
【００６６】
ステップＳ７０６では、データ取得部１１２１０は、ストリーミングデータが取得できない場合、ストリーミングデータを受信する処理を終了する。
【００６７】
ステップＳ７０８では、ステップＳ７０６でストリーミングデータが取得できる場合、出力部１０４は、ストリーミングデータを再生する。つまり、データ取得部１１２１０は、出力部１０４へ、ストリーミングデータを入力する。出力部１０４は、ストリーミングデータを再生する。その結果、図５示したように、ストリーミングデータが表示される。
【００６８】
＜ユーザ端末１００の動作（その３）＞
図８は、ユーザ端末１００の動作の一実施例を示す。図８には、主に図６のステップＳ６０４、及びＳ６１２の処理、図７のステップＳ７０２の処理が示される。
【００６９】
ステップＳ８０２では、データ取得部１１２１０は、ＣＤＭＡにより接続可能な状態であるか否かを判定する。具体的には、データ取得部１１２１０は、接続制御部１１２０２からの基地局２００接続情報に基づいて、ＣＤＭＡにより接続可能な状態であるか否かを判定する。
【００７０】
ステップＳ８０４では、ステップＳ８０２によりＣＤＭＡにより接続可能な状態であると判定された場合、データ取得部１１２１０は、無線ＬＡＮにより接続可能な状態であるか否かを判定する。具体的には、データ取得部１１２１０は、接続制御部１１２０２からの基地局３００接続情報に基づいて、無線ＬＡＮにより接続可能な状態であるか否かを判定する。
【００７１】
ステップＳ８０６では、ステップＳ８０４により無線ＬＡＮにより接続可能な状態であると判定された場合、データ取得部１１２１０は、下りリンクの信号に含まれるコンテンツがストリーミングデータであるか否かを判定する。具体的には、データ取得部１１２１０は、コンテンツ判定部１１２０６からのコンテンツ情報に基づいて、ストリーミングデータであるか否かを判定する。
【００７２】
ステップＳ８０８では、ステップＳ８０６によりストリーミングデータであると判定された場合、データ取得部１１２１０は、移動しているか否かを判定する。具体的には、データ取得部１１２１０は、移動静止判定部１１２０８からの移動情報に基づいて、移動しているか否かを判定する。
【００７３】
ステップＳ８１０では、ステップＳ８０４により無線ＬＡＮにより接続可能な状態でないと判定された場合、又はステップＳ８０８により移動していると判定された場合、データ取得部１１２１０は、ＣＤＭＡによりデータを取得するように設定する。
【００７４】
ステップＳ８１２では、ステップＳ８０２によりＣＤＭＡにより接続可能な状態でないと判定された場合、データ取得部１１２１０は、無線ＬＡＮにより接続可能な状態であるか否かを判定する。具体的には、データ取得部１１２１０は、接続制御部１１２０２からの基地局３００接続情報に基づいて、無線ＬＡＮにより接続可能な状態であるか否かを判定する。
【００７５】
ステップＳ８１４では、ステップＳ８１２により無線ＬＡＮにより接続可能な状態であると判定された場合、データ取得部１１２１０は、無線ＬＡＮによりデータを取得するように設定する。また、ステップＳ８１４では、ステップＳ８０６によりストリーミングデータでないと判定された場合、又はステップＳ８０８により静止していると判定された場合に、データ取得部１１２１０は、無線ＬＡＮによりデータを取得するように設定する。
【００７６】
ステップＳ８１６では、ステップＳ８１２により無線ＬＡＮにより接続可能な状態でないと判定された場合、データ取得部１１２１０は、接続を行わないように設定する。
【００７７】
＜ユーザ端末の動作（その４）＞
図９は、ユーザ端末１００の動作の一実施例を示す。
【００７８】
ステップＳ９０２では、移動静止判定部１１２０８は、位置情報を取得する。具体的には、移動静止判定部１１２０８は、位置測位装置１１４から位置情報を取得する。
【００７９】
ステップＳ９０４では、移動静止判定部１１２０８は、タイマーイベントを設定する。タイマーイベントとは、位置測位装置１１４から位置情報を取得するイベントを発生させる時間間隔である。
【００８０】
ステップＳ９０６では、タイマーイベントが発生しない場合、移動静止判定部１１２０８は、タイマーイベントが発生するまで待機する。
【００８１】
ステップＳ９０８では、ステップＳ９０６によりタイマーイベントが発生したと判定された場合、移動静止判定部１１２０８は、前回取得した位置情報に、位置情報を設定する。
【００８２】
ステップＳ９１０では、移動静止判定部１１２０８は、位置情報を取得する。具体的には、移動静止判定部１１２０８は、位置測位装置１１４から、位置情報を取得する。
【００８３】
ステップＳ９１２では、移動静止判定部１１２０８は、前回取得した位置情報と、位置情報との差が閾値以上であるか否かを判定する。
【００８４】
ステップＳ９１４では、ステップＳ９１２により前回取得した位置情報と位置情報との差が閾値以上であると判定された場合、移動静止判定部１１２０８は、移動中であると判定する。
【００８５】
ステップＳ９１６では、ステップＳ９１２により前回取得した位置情報と位置情報との差が閾値未満であると判定された場合、移動静止判定部１１２０８は、静止中であると判定する。
【００８６】
＜無線通信システムの動作＞
図１０は、無線通信システムの動作の一実施例を示す。
【００８７】
図１０には、ユーザ端末１００と、番組情報サーバ４００及びストリーミングサーバ５００との間で行われる処理が示される。
【００８８】
ステップＳ１００２では、データ取得部１１２１０は、ユーザにより選択されたチャンネルを設定する。
【００８９】
ステップＳ１００４では、データ取得部１１２１０は、番組情報サーバ４００へ、ユーザにより選択されたチャンネルを表すチャンネルＩＤを送信する制御を行う。その結果、ユーザ端末１００から番組情報サーバ４００へ、ユーザにより選択されたチャンネルを表すチャンネルＩＤが送信される。
【００９０】
ステップＳ１００６では、番組情報サーバ４００は、ユーザ端末１００へ、チャンネルロゴを表す情報を送信する。チャンネルロゴを表す情報は、ユーザ端末１００に受信され、データ取得部１１２１０に入力される。データ取得部１１２１０は、出力部１０４へ、チャンネルロゴを表す情報を入力する。出力部１０４は、チャンネルロゴを出力する。出力部１０４によりチャンネルロゴが出力される結果、図５に示したように、チャンネル名が表示される。
【００９１】
ステップＳ１００８では、番組情報サーバ４００は、ユーザ端末１００へ、ストリーミングデータのＵＲＬを表す情報を送信する。ストリーミングデータのＵＲＬを表す情報は、ユーザ端末１００に受信され、データ取得部１１２１０に入力される。
【００９２】
ステップＳ１０１０では、データ取得部１１２１０は、ストリーミングサーバ５００へ、ストリーミングデータ要求を送信する制御を行う。具体的には、データ取得部１１２１０は、ステップＳ１００８で通知されたストリーミングデータのＵＲＬにアクセスし、ストリーミングデータを要求する。その結果、ユーザ端末１００からストリーミングサーバ５００へ、ストリーミングデータ要求が送信される。
【００９３】
ステップＳ１０１２では、ストリーミングサーバ５００は、ユーザ端末１００へ、ストリーミングデータを送信する。ストリーミングデータは、ユーザ端末１００に受信され、データ取得部１１２１０に入力される。データ取得部１１２１０は、出力部１０４へ、ストリーミングデータを入力する。出力部１０４は、ストリーミングデータを再生する。出力部１０４によりストリーミングデータが再生される結果、図５に示したように、ストリーミングデータが表示される。
【００９４】
ステップＳ１０１４では、データ取得部１００２は、番組情報サーバ４００へ、番組名要求を送信する制御を行う。その結果、ユーザ端末１００から番組情報サーバ４００へ、番組名要求が送信される。
【００９５】
ステップＳ１０１６では、番組情報サーバ４００は、ユーザ端末１００へ、番組名を表す情報を送信する。番組名を表す情報は、ユーザ端末１００に受信され、データ取得部１１２１０に入力される。データ取得部１１２１０は、出力部１０４へ、番組名を表す情報を入力する。出力部１０４は、番組名を出力する。出力部１０４により番組名が出力される結果、図５に示したように、番組名が表示される。
【００９６】
ステップＳ１０１８、Ｓ１０２０では、ストリーミングサーバ５００は、ユーザ端末１００へ、ストリーミングデータを送信する。ストリーミングデータは、ユーザ端末１００に受信され、データ取得部１１２１０に入力される。データ取得部１１２１０は、出力部１０４へ、ストリーミングデータを入力する。出力部１０４は、ストリーミングデータを再生する。出力部１０４によりストリーミングデータが再生される結果、図５に示したように、ストリーミングデータが表示される。
【００９７】
ステップＳ１０２２では、データ取得部１００２は、番組情報サーバ４００へ、番組名要求を送信する制御を行う。その結果、ユーザ端末１００から番組情報サーバ４００へ、番組名要求が送信される。
【００９８】
ステップＳ１０２４では、番組情報サーバ４００は、ユーザ端末１００へ、番組名を表す情報を送信する。番組名を表す情報は、ユーザ端末１００に受信され、データ取得部１１２１０に入力される。データ取得部１１２１０は、出力部１０４へ、番組名を表す情報を入力する。出力部１０４は、番組名を出力する。出力部１０４により番組名が出力される結果、図５に示したように、番組名が表示される。
【００９９】
ステップＳ１０２６では、ストリーミングサーバ５００は、ユーザ端末１００へ、ストリーミングデータを送信する。ストリーミングデータは、ユーザ端末１００に受信され、データ取得部１１２１０に入力される。データ取得部１１２１０は、出力部１０４へ、ストリーミングデータを入力する。出力部１０４は、ストリーミングデータを再生する。出力部１０４によりストリーミングデータが再生される結果、図５に示したように、ストリーミングデータが表示される。
【０１００】
本実施例によれば、移動中であっても、狭い範囲で無線アクセス可能な通信方式で、非リアルタイム再生データを取得できる。移動中であっても狭い範囲で無線アクセス可能な通信方式で、非リアルタイム再生データを取得することにより、広い範囲で無線アクセス可能な通信方式の基地局の負荷を低減できる。
【０１０１】
以上の実施例を含む実施形態に関し、更に以下の付記を開示する。
（付記１）
第１の通信方式により無線通信を行う第１の無線インターフェースと、
前記第１の通信方式よりも接続できるエリアが狭い第２の通信方式により無線通信を行う第２の無線インターフェースと、
移動中に、前記第２の無線インターフェースから、リアルタイムに再生を行わないデータを取得する制御を行う制御部と
を有する、ユーザ端末。
（付記２）
前記制御部は、移動しているか否かに応じて、前記第１又は第２の無線インターフェースから、リアルタイムに再生を行うデータを取得する制御を行う、付記１に記載のユーザ端末。
（付記３）
前記第１の無線インターフェースには携帯電話で利用される通信方式により無線通信を行うインターフェースが含まれ、
前記第２の無線インターフェースには無線ＬＡＮにより無線通信を行うインターフェースが含まれる、付記１又は２に記載のユーザ端末。
（付記４）
前記制御部による制御により取得されたリアルタイムに再生を行わないデータを出力する出力部
を有する、付記１に記載のユーザ端末。
（付記５）
第１の通信方式よりも接続できるエリアが狭い第２の通信方式により無線通信を行う無線インターフェースから、移動中に、リアルタイムに再生を行わないデータを取得する制御を行う、ユーザ端末における通信方法。
（付記６）
前記制御部は、前記リアルタイムに再生を行わないデータに含まれる情報を利用して、前記リアルタイムに再生を行うデータを取得する制御を行う、付記１に記載のユーザ端末。
（付記７）
前記リアルタイムに再生を行わないデータには、番組情報が含まれる、付記１又は２に記載のユーザ端末。
（付記８）
前記リアルタイムに再生を行うデータには、ストリーミングデータが含まれる、付記２に記載のユーザ端末。
【符号の説明】
【０１０２】
１００  ユーザ端末
１０２  入力部
１０４  出力部
１０６  通信制御部
１０８１  無線通信部
１０８２  無線通信部
１１０  記憶部
１１２  ＣＰＵ
１１４  位置測位装置
２００  基地局
３００  基地局
４００  番組情報サーバ
５００  ストリーミングサーバ
６００  通信網
１１２０２  接続制御部
１１２０４  制御部
１１２０６  コンテンツ判定部
１１２０８  移動静止判定部
１１２１０  データ取得部
【図１】
2013123127.tif 000003
【図２】
2013123127.tif 000004
【図３】
2013123127.tif 000005
【図４】
2013123127.tif 000006
【図５】
2013123127.tif 000007
【図６】
2013123127.tif 000008
【図７】
2013123127.tif 000009
【図８】
2013123127.tif 000010
【図９】
2013123127.tif 000011
【図１０】
2013123127.tif 000012